(57)【要約】【課題】ワークをセットするだけで、それに仮組みされている締結部品を自動で把持し、締め付けることのできる自動締め付け装置を提供する。【解決手段】ワークに仮組みされたナット１の回動中心線Ｘの周りに回動される回動盤４と、ナット１を挟んで対向するよう回動盤４に配置され、支軸１２の周りに回動可能に支持された一対の把持爪５と、を備え、回動盤４が待機位置から回動方向一側へ回動されてナット１を締め付けるときに、その回動動作に連動して各把持爪５がそれぞれ支軸１２の周りに回動し、先端の把持面５ａによりナット１の外周面を把持するように構成する。各把持爪５は捻りばね１３によって把持位置に向けて回動付勢する一方、回動盤４が待機位置にあるときには位置決め部材１４，１５と係合させて、非把持位置に位置付ける。【選択図】    図１
2008087121.tif 000002
【特許請求の範囲】
【請求項１】
ワークに仮組みされた締結部品を把持し、これを駆動源からの力により回動させて締め付けるようにした自動締め付け装置であって、
前記駆動源からの力を受けて、締結部品の回動中心の周りに回動される回動部材と、
前記締結部品を挟んで対向するよう前記回動部材に配置され、該回動部材の回動中心と平行な支軸の周りに回動可能に支持された一対の把持爪と、を備え、
前記回動部材は、所定の待機位置から回動方向の一側へ回動されて締結部品を締め付けるものであり、
前記一対の把持爪は、それぞれ、
その支軸から前記回動部材の回動中心に向かい、且つ該回動部材の回動方向の前記一側に傾いて延び、その先端の把持面が前記締結部品の外周から離間する非把持位置と、
前記支軸から回動部材の回動中心に向かい略真直に延びて、その先端の把持面が前記締結部品の外周面を把持する把持位置と、
の間で回動可能に構成されており、
さらに、前記各把持爪をそれぞれの支軸の周りに前記把持位置に向けて回動するように付勢する付勢部材と、
前記回動部材が前記待機位置にあるときに前記各把持爪と係合し、これを前記付勢部材の付勢力に抗して前記非把持位置に位置付ける位置決め部材と、を備えている
ことを特徴とする自動締め付け装置。
【請求項２】
把持爪の先端には、該把持爪が非把持位置にあるときに締結部品に近接する側において把持面に連続し且つ該把持面から離れるほど後退するように傾斜面が形成されていることを特徴とする請求項１に記載の自動締め付け装置。
【請求項３】
回動部材には、把持爪と係合してその回動変位を把持位置までに規制するストッパ部が設けられていることを特徴とする請求項１又は２のいずれかに記載の自動締め付け装置。
【発明の詳細な説明】
【技術分野】
【０００１】
本発明は、ワークに仮組みされた締結部品を把持して、自動的に締め付けるようにした装置に関し、特に締結部品の把持を自動化するための構成に係る。
【背景技術】
【０００２】
従来より、ボルト、ナット等の締結部品を自動で締め付けるための装置としては、例えば特許文献１に記載のような油圧トルクレンチが公知である。このものでは、油圧シリンダのピストンロッドにラックを結合するとともに、このラックに噛み合うピニオンギヤにラチェットギヤ等を介してソケットを取り付けており、このソケットをボルト、ナットに嵌め合わせて、油圧シリンダからの駆動力により回転させるようにしている。
【特許文献１】実用新案登録第２５４１３１７号公報
【発明の開示】
【発明が解決しようとする課題】
【０００３】
前記のような油圧トルクレンチではボルト、ナット等を自動で締め付けることができるので、省力化を図れるものであるが、例えば六角形のボルトの頭部やナットをソケットに手作業できちんと嵌め合わせなくてはならず、この点で作業者の負担を軽減する余地が残されている。
【０００４】
そこで、本発明の目的は、ワークをセットするだけで、それに仮組みされている締結部品を自動で把持し、締め付けることのできる自動締め付け装置を提供することにある。
【課題を解決するための手段】
【０００５】
前記の目的を達成するために、本発明の自動締め付け装置では、締結部品を挟んで対向するように配置された一対の把持爪が、該締結部品を締め付けるために回動する回動部材の動作に連動して、それを把持するように構成したものである。
【０００６】
すなわち、請求項１の発明は、ワークに仮組みされた締結部品を把持し、これを駆動源からの力により回動させて締め付けるようにした自動締め付け装置であって、前記駆動源からの力を受けて締結部品の回動中心の周りに回動される回動部材と、その締結部品を挟んで対向するよう前記回動部材に配置され、当該回動部材の回動中心と平行な支軸の周りに回動可能に支持された一対の把持爪と、を備えている。
【０００７】
そして、前記回動部材を、所定の待機位置から回動方向の一側へ回動されて締結部品を締め付けるものとし、また、前記一対の把持爪は、それぞれ、その支軸から前記回動部材の回動中心に向かい且つ該回動部材の回動方向の前記一側に傾いて延び、その先端の把持面が前記締結部品の外周から離間する非把持位置と、前記支軸から回動部材の回動中心に向かい略真直に延びて、その先端の把持面が前記締結部品の外周面を把持する把持位置と、の間で回動可能に構成する。
【０００８】
その上で、前記各把持爪をそれぞれの支軸の周りに前記把持位置に向けて回動するように付勢する付勢部材と、前記回動部材が前記待機位置にあるときに前記各把持爪と係合し、これを前記付勢部材の付勢力に抗して前記非把持位置に位置付ける位置決め部材と、を備える構成とする。
【０００９】
前記構成の自動締め付け装置では、まず、作業者がワークをセットするときには、回動部材が待機位置にあって、これに配設されている一対の把持爪がそれぞれ位置決め部材との係合により非把持位置に位置付けられているので、これらの把持爪の先端側との干渉を招くことなく、それら一対の把持爪の中間に締結部品が位置するように、ワークをセットすることができる。
【００１０】
そして、装置が作動し、駆動源からの力を受けた回動部材が待機位置から回動方向の一側へ、即ち締結部品を締め付ける向きに回動されると、位置決め部材との係合が解除された各把持爪は、付勢部材の付勢力によって把持位置に向けて回動される。すなわち、該各把持爪は、回動部材の回動中心に向かう半径方向に対してその回動方向一側に倒れた状態（非把持位置）から徐々に起き上がって、先端の把持面が締結部品の外周面に近づくようになるので、締結部品の外形が例えば六角形であってもその角部には引っ掛かり難く、当該締結部品の外周を把持することができる。
【００１１】
また、そうして起き上がった一対の把持爪が締結部品の外周を把持して、それを前記回動方向一側に回動させるときに、その反力は各把持爪の先端を前記回動方向の他側に向けるように、即ち該各把持爪をその支軸周りの回動によって、さらに起き上がらせるような向きに作用することになる。つまり、締結部品を締め付ける力の反力によって各把持爪の把持面が締結部品の外周面に押し付けられることになり、このことで締結部品をしっかりと締め付けることができる。
【００１２】
そうして締結部品を締め付けた後に、回動部材が前記の締め付け時とは反対の向きに、即ち回動中心の周りに回動方向他側に回動されると、今度は、締結部品から各把持爪にはその先端側を前記回動方向の一側へ向けるような、即ち該各把持爪をその支軸の周りに非把持位置に向けて回動させて、その先端を締結部品から離すような向きの力が作用することになる。よって、各把持爪による締結部品の把持は解除され、回動部材が回動方向他側に回動しても、締結部品が緩むことはない。
【００１３】
その際、各把持爪は付勢部材の付勢力によって把持位置に向かうように付勢されているので、その先端は締結部品の外周に接触することになるが、その付勢力を適度の大きさに設定しておけば、前記のようにしっかりと締め付けられている締結部品が緩むことはない。そして、回動部材が待機位置に戻れば、把持爪は再び位置決め部材と係合して非把持位置に位置付けられることになり、その先端が締結部品の外周から離間するので、この締結部品との干渉を招くことなく、締結部品の締め付けが完了したワークを容易に取り出すことができる。
【００１４】
前記のような自動締め付け装置において、各把持爪の先端には、それが非把持位置にあるときに締結部品に近接する側において把持面に連続し、且つ該把持面から離れるほど後退するように傾斜面を形成するのが好ましい（請求項２の発明）。こうすれば、例えば六角形の締結部品の角部に把持爪の先端の角部が引っ掛かることをより確実に阻止することができる。
【００１５】
また、前記回動部材には、把持爪と係合してその回動変位を把持位置までに規制するようにストッパ部を設けることが好ましく（請求項３の発明）、こうすれば、把持爪がその支軸の周りに把持位置を越えて回動することがないので、万一の締結部品からの脱落も防止することができる。
【発明の効果】
【００１６】
以上、説明したように、本発明に係る自動締め付け装置によると、締結部品の締め付けのために回動部材を回動させる機構を利用し、この回動に連動させて一対の把持爪をそれぞれ非把持位置から把持位置まで回動させるようにしたので、作業者は、ワークをセットする際にそれに仮組みされた締結部品が一対の把持爪の中間に挟まれるように位置付けるだけでよっく、例えば六角形のナット等をソケットにきちんと嵌め合わせるという面倒な作業が不要になって、その負担が従来より一層、軽減される。
【００１７】
また、非把持位置にあるときには各把持爪の先端がナットの外周から離間するようになっているので、それら把持爪との干渉を避けながらワークをセットすることは容易であり、締結部品の締め付けが完了した後のワークを取り出すことも容易である。
【００１８】
しかも、そのような把持爪の動作は、ナットを締め付けるために必要な回動部材の回動を利用して行われるので、別途、駆動源を備える必要もなく、簡略な構成でコストの上昇も抑えられる。
【発明を実施するための最良の形態】
【００１９】
以下、本発明の実施形態を図面に基いて説明する。尚、以下の好ましい実施形態の説明は、本質的に例示に過ぎず、本発明、その適用物或いはその用途を制限することを意図するものではない。
【００２０】
（自動締め付け装置の構成）
図１及び図２は、本発明の実施形態に係る自動締め付け装置Ａの要部の構成を示し、この自動締め付け装置Ａは、図示しないが例えばターンバックルのようなワークをセットすると、これに仮組みされたナット１（締結部品：図１にのみ示す）を自動で把持して、所定のトルクで締め付けるようにしたものである。
【００２１】
図示の如く、この実施形態の自動締め付け装置Ａでは、その前後方向に延びる２枚のフレーム板２，３の間に挟まれるようにして、概略円形の回動盤４（回動部材）が取り付けられており、この回動盤４上に配設された一対の把持爪５，５によりナット１を把持して回動させるようになっている。すなわち、まず、前記フレーム板２，３は、それぞれ鋼製の厚板からなり、図示のようにセットされるワークのナット１の回動中心線Ｘを中心とする大径の丸穴２ａ，３ａが厚み方向に貫通形成されているとともに、この丸穴２ａ，３ａから装置Ａの前方（図１の右方）の縁部まで略水平に延びるように切り欠き部２ｂ，３ｂが形成されている。
【００２２】
また、フレーム板２，３は、図１のように回動中心線Ｘに沿って見ると、丸穴２ａ，３ａ同士と、切り欠き部２ｂ，３ｂ同士とがそれぞれ合致するように配置されていて、図２に示すように概略回動盤４の厚みに相当する間隔を空けて、互いに組み合わされている。そして、フレーム板２，３の間には丸穴２ａ，３ａの周縁に沿って樹脂製のガイドレール６が配設されており、前記回動盤４は、その外周部をガイドレール６によって周方向に移動自在に保持されて、フレーム板２，３に対し回動中心線Ｘの周りに回転自在に取り付けられている。
【００２３】
前記のようにガイドレール６によって保持されている回動盤４の外周には、後述する切り欠き部４ｃを除いた全周に亘って外歯４ａが形成されている。また、ガイドレール６は、フレーム板２，３の切り欠き部２ｂ，３ｂに対応する部位と、回動盤４の装置後方斜め上側の部位とでそれぞれ切り離されて、相対的に短い第１レール部材６ａと、相対的に長い第２レール部材６ｂと、の２つの概略Ｃ字状のレール部材に分割されており、それら２つのレール部材６ａ，６ｂが互いに離間している装置後方斜め上側の部位において、前記回動盤４の外歯４ａがギヤ列７に噛み合わされている。
【００２４】
前記のギヤ列７は、各々フレーム板２，３の間に軸支され、互いに噛み合わされた中間ギヤ７ａとピニオンギヤ７ｂとからなり、中間ギヤ７ａが前記回動盤４の外歯４ａと噛み合う一方、ピニオンギヤ７ｂはラック８に噛み合わされている。このラック８はローラ９，９，…によりガイドされて上下に移動するようになっていて、その下端は、図１にのみ模式的に示すが、例えばエアシリンダのような駆動源１０に連結されている。そして、ラック８が上方に移動されてピニオンギヤ７ｂが図の時計回りに回動すると、中間ギヤ７ａを介して回動盤４も図の時計回りに（回動方向の一側に）回動され、詳しくは後述するが、ナット１が締め付けられるようになる。
【００２５】
また、前記回動盤４には厚み方向に貫通する異形の長穴４ｂが、該回動盤４の中央部を含むように形成されている。この長穴４ｂは、図１に示すように装置Ａを左側から見て略逆Ｓ字状をなしており、その中央部から回動盤４の外周に向かって真直ぐに延びるように切り欠き部４ｃが連続している。図示の如く長穴４ｂが概略上下に延びるように位置付けられたとき、その中央部からから装置Ａの前方に向かって切り欠き部４ｃが略水平に延び、フレーム板２，３の切り欠き部２ｂ，３ｂと連通するようになる。
【００２６】
そうして回動盤４の切り欠き部４ｃがフレーム板２，３の切り欠き部２ｂ，３ｂと連通すれば、これらの切り欠き部２ｂ，３ｂ，４ｃを通過させて、ナット１が回動盤４の長穴４ｂの略中央部に収容されるように、ワークをセットすることができる。こうしてワークのセットや取り出しが行われるのが回動盤４の待機位置であり、図示しないが、ワークは、フレーム板２，３の左右両側にてそれぞれステージ上に固定された状態で、該ステージの前後方向の移動によりセットされ、また、取り出されるようになっている。
【００２７】
そのようにしてセットされたワークと共に長穴４ｂの略中心に位置付けられるナット１を挟んで上下に対向するように、回動盤４上には一対の把持爪５，５が配設されている。この一対の把持爪５，５は、それぞれ、回転盤４の長穴４ｂ内において長手方向の両側に分かれて収容され、長穴４ｂの幅方向に架設された一対のブラケット１１，１１に対して各々支軸１２により回動可能に支持されている。支軸１２は回動盤４の回動中心線Ｘと平行に延びており、各把持爪５は、回動盤４の回動方向（周方向）一側及び他側にそれぞれ隣り合う長穴４ｂの内周面の間で回動されるようになっている。
【００２８】
ここで、図１のように回動中心線Ｘに沿って見ると、長穴４ｂの中心部を挟む長手方向両側の部位は、それぞれ、回動盤４の回動中心線Ｘから半径方向外方に離れるに連れて、その周方向他側に向かうように傾いており、それらの内部にそれぞれ収容されている各把持爪５は、各々支軸１２から回動中心線Ｘに向かい、半径方向内方ほど周方向一側に位置するように傾いて延びる第１の位置（図１に示す位置）と、支軸１２から回動中心線Ｘに向かい半径方向内方に略真直に延びる第２の位置（図３に示す位置）と、の間で回動するようになっている。
【００２９】
そして、前記第２の位置では、各把持爪５の先端に設けられた把持面５ａが最も半径方向内方に位置し、図３に示すようにナット１の外周面を把持することができる（以下、把持位置という）。一方、前記第１の位置では、前記把持位置に比べると各把持爪５の把持面５ａが半径方向について外方に位置することになり、それはナット１の外周（最外周に位置する角部）から離間するようになる（以下、非把持位置という）。
【００３０】
また、前記各把持爪５とその周方向一側に隣り合う長穴４ｂの一側内周面との間には、捻りばね１３（付勢部材）が介設されており、各把持爪５をその支軸１２の周りに図１の時計回りに回動するように、つまり前記把持位置に向かうように回動付勢している。一方、各把持爪５の周方向他側に隣り合う長穴４ｂの他側内周面には、把持爪５の先端側の側部に当接してその回動変位を把持位置までに規制する突部４ｄ（ストッパ部）が設けられている。
【００３１】
そうして捻りばね１３の付勢力を受ける各把持爪５は、その先端側の側部が長穴４ｂの他側内周面の突部４ｄに当接するまで、支軸１２周りに回動可能になっているが、図１のように回動盤４が待機位置にあるときには、フレーム板２，３に取り付けられた位置決め部材１４，１５が各々把持爪５，５と係合して、それを回動盤６の回動方向一側（図の時計回り）に押圧するようになっており、これにより各把持爪５は、捻りばね１３の付勢力に抗して支軸１２周りに図の反時計回りに回動され、非把持位置に位置付けられる。
【００３２】
すなわち、図２にも示すように、各把持爪５にはそれぞれ支軸１２よりも先端側の部位にピン１６が埋め込まれており、一方の把持爪５（図の下側に位置する把持爪）のピン１６は装置左側に延びてフレーム板２よりも外方に突出し、他方の把持爪５（図の上側に位置する把持爪）のピン１６は装置右側に延びてフレーム板３よりも外方に突出している。そして、フレーム板２，３には、回転盤４が待機位置にあるときの把持爪５，５のそれぞれの位置に対応付けて、その各々のピン１６と当接して適切に位置決めするように、鋼板からなる位置決め部材１４，１５が固定されている。
【００３３】
そうして位置決め部材１４，１５によりピン１６を介して押圧されて非把持位置に位置付けられているとき、各把持爪５は、前記したように各々の支軸１２から回動盤４の回動中心線Ｘに向かう半径方向に対して、該回動盤４の回動方向である周方向の一側に傾いて、即ち該回動盤４の回動方向一側に倒れて、延びている。一方、位置決め部材１４，１５との係合が外れて、捻りばね１３の付勢力により支軸１２の周りに回動されると、各把持爪５は回動盤４の半径方向に向けて徐々に起き上がり、その先端の把持面５ａがナット１の外周面に近づくようになる。
【００３４】
つまり、各把持爪５は、それが非把持位置にあるときにはナット１の外周に対し倒れた状態になっており、それが徐々に起き上がりつつ、先端側からナット１の外周に近づいてゆくので、先端がナット１の角部に引っ掛かることは少ない。しかも、この実施形態では各把持爪５の先端には、前記のように非把持位置にあるときにナット１の外周に近接する側の角部を削除したように、把持面５ａに連続し且つ該把持面５ａから離れるほど後退する傾斜面５ｂが形成されており、この傾斜面５ｂが最初にナット１の外周に接触することになるから、把持爪５の先端がナット１の角部に引っ掛かることはない。
【００３５】
尚、前記傾斜面５ｂの大きさや傾斜角度等は、各把持爪５の支軸１２から先端までの長さやその支軸１２と先端の把持面５ａとの相対的な位置関係に応じて決められるものであるが、所謂面取りに比べて大きくする必要があり、例えば把持面５ａの少なくとも１／５以上の面積を有し、且つ該把持面５ａに対し３０〜４５°の範囲の傾斜角をなすことが好ましい。
【００３６】
（自動締め付け装置の作動）
次に、前記のように構成された自動締め付け装置Ａの作動について説明すると、まず、作業者は、例えばターンバックルのようなワークにナットを仮組みして、装置Ａの前部に位置するステージ上に載置する。このステージが後方に移動すると、その上に載置されているワークがフレーム板２，３の切り欠き部２ｂ，３ｂと、これに連通する回転盤４の切り欠き部４ｃとを通過して、該回動盤４の長穴４ｂの略中央にナット１が収容されるようになる。
【００３７】
この際、図１に示すように回動盤４は待機位置にあり、これに取り付けられている一対の把持爪５，５はそれぞれ位置決め部材１４，１５との係合により非把持位置に位置付けられているので、これらの把持爪５，５の先端側とワークのナット１とが干渉することはなく、それら把持爪５，５の中間に挟まれるように、即ち回動盤４の回動中心線Ｘ上に位置するようにナット１を位置付けて、ワークを容易にセットすることができる。
【００３８】
続いて駆動源１０によりラック８が上向きに移動されて、ピニオンギヤ７ｂが図の時計回りに回動すると、この回動力を中間ギヤ７ａを介して受けた回動盤４も待機位置から図の時計回りに、即ちナット１を締め付ける向きである回動方向一側へ回動される。こうして回動盤４が待機位置から離れると、把持爪５，５と位置決め部材１４，１５との係合が解除され、各把持爪５は捻りばね１３の付勢力によって支軸１２の周りに把持位置に向けて回動されることになる。
【００３９】
すなわち、各把持爪５は、回動盤４の回動中心線Ｘに向かう半径方向に対しその回動方向一側に倒れた状態から徐々に起き上がって、その先端側がナット１の外周面に近づいてゆき、まず、傾斜面５ｂがナット１の外周に接触した後、さらに起き上がって、図３(a)に模式的に示すように把持面５ａがナット１の外周面に当接（把持）するようになる。こうして傾斜面５ｂから接触することで、その接触部位がナット１の角部であっても両者が引っ掛かることはなく、把持爪５，５によってナット１をしっかりと把持することができる。
【００４０】
そうしてナット１の外周を把持した一対の把持爪５，５が、図３(b)のようにナット１を回動中心線Ｘの周りに時計回りに（回動方向一側に）回動させるとき、その反力は各把持爪５の先端側を回動中心線Ｘの周りに反時計回りに（回動方向他側に）向けるように、即ち各把持爪５をその支軸１２周りの回動によってさらに起き上がらせるように作用することになるので、該各把持爪５の把持面５ａがナット１の外周面に強く押し付けられ、ナット１はしっかりと締め付けられる。
【００４１】
しかも、この実施形態では、前記把持位置にてナット１の外周を把持している各把持爪５の先端側側部が、長穴４ｂの他側内周面の突部４ｄに当接しており、前記のように反力を受けていても、各把持爪５が把持位置を越えて支軸１２の周りに図の時計回りに回動することはないから、それがナット１の外周から脱落する虞れはない。
【００４２】
そして、前記のようにナット１をしっかりと締め付けた後に、駆動源１０によりラック８が下向きに移動され、ピニオンギヤ７ｂが図１の反時計回りに回動すると、図４(a)に模式的に示すように、回動盤４も図の反時計回りに（回動方向他側に）回動されるようになる。このときには、ナット１から各把持爪５の先端側を回動中心線Ｘの周りに時計回りに（回動方向一側に）向けるように、即ち各把持爪５をその支軸１２の周りに反時計回りに回動させて、その先端をナット１から離すような向きの力が作用することになるので、各把持爪５によるナット１の把持は解除され、回動盤４が回動方向他側に回動しても、ナット１が緩むことはない。
【００４３】
尚、そうして各把持爪５によるナット１の把持が解除されても、各把持爪５が捻りばね１３の付勢力を受けているので、図４(b)の如く各把持爪５の先端はナット１の外周に接触するようになるが、捻りばね１３の力が過度に強くなければ、前記のようにしっかりと締め付けられているナット１が緩むことはなく、その外周を滑るように各把持爪５の先端が移動するようになる。
【００４４】
そして、回動盤４が回動方向他側に回動して待機位置にまで戻れば、一対の把持爪５，５の各々が再び位置決め部材１４，１５と係合して非把持位置に位置付けられることになり、図１を参照して上述したように各把持爪５の先端がナット１の外周から離間するので、このナット１との干渉を招くことなく、互いに連通している切り欠き部２ｂ，３ｂ，４ｃを通過させて、ナット１の締め付けが完了したワークを容易に取り出すことができる。
【００４５】
したがって、この実施形態に係る自動締め付け装置Ａによると、ワークに仮組みされたナット１を締め付けるための回動盤４の回動を利用して、一対の把持爪５，５を非把持位置から把持位置まで回動させ、これによりナット１を把持するようにしたので、作業者は、テーブル上に載置したワークをセットして装置Ａを作動させるだけでよく、六角形のナット１をソケット等にきちんと嵌め合わせるような面倒な作業が不要になる。よって、その負担を従来より一層、軽減できる。
【００４６】
また、そうして装置Ａにワークをセットするときには回動盤４が待機位置にあって、一対の把持爪５，５が非把持位置にあり、それらの先端がナット１の外周と干渉することがないので、ワークを容易にセットすることができる。同様に、ナット１の締め付けが完了した後のワークも容易に取り出すことができる。
【００４７】
さらに、前記のようにナット１を自動で把持する把持爪５，５の動作は、ナット１を締め付けるための回動盤４の回動を利用して行われるので、駆動源１０の他に別途、把持爪５，５の動作のためのアクチュエータを設ける必要がなく、簡略な構成でコストの上昇も抑えられる。
【００４８】
尚、本発明は、前記実施形態の構成に限定されるものではなく、その他の種々の構成をも包含する。すなわち、前記の実施形態では、回動盤４において長穴４ｂの他側内周面に突部４ｄを形成し、これを把持爪５の先端側側部に当接させて、その回動変位を把持位置までに規制するストッパ部としているが、このようなストッパ部は設けなくてもよい。
【００４９】
また、前記の実施形態では回動盤４に異形の長穴４ｂを設けて、その内部に把持爪５，５を収容しているが、把持爪５，５は回動盤４のいずれか一方の面上に配置することもできる。また、回動盤４の外周に外歯４ａを形成することも必須の構成ではないし、該回動盤４が円形に限るものでもない。
【００５０】
さらに、前記回動盤４を駆動する機構も前記実施形態のものには限定されず、ラック＆ピニオン以外の如何なる機構を用いてもよいし、駆動源１０もエアシリンダに限らず、油圧アクチュエータや電動モータであってもよい。
【００５１】
また、前記実施形態の自動締め付け装置Ａは、一例としてターンバックルに仮組みされた六角ナット１を締め付けるものであるが、ワークがターンバックルに限定されないことは勿論であり、ナット１以外の例えばボルトのような締結部品を締め付けるものであってもよい。
【産業上の利用可能性】
【００５２】
以上、説明したように、本発明は、自動締め付け装置において作業者の負担を可及的に軽減でき、コストの大幅な上昇を招くこともなく、有用である。
【図面の簡単な説明】
【００５３】
【図１】実施形態の自動締め付け装置の要部構成を示す左側面図である。
【図２】同正面図である。
【図３】ナットを締め付ける回動盤及び把持爪の動作を模式的に示す図１相当図である。
【図４】締め付けを終えて待機位置に戻るときの図３相当図である。
【符号の説明】
【００５４】
Ａ    自動締め付け装置
Ｘ    ナット及び回動盤の回転中心線
１    ナット（締結部品）
４    回動盤（回動部材）
４ｄ  突部（ストッパ部）
５    把持爪
５ａ  把持面
５ｂ  傾斜面
１０  駆動源
１２  把持爪の支軸
１３  捻りばね（付勢部材）
１４，１５    位置決め部材
【図１】
2008087121.tif 000003
【図２】
2008087121.tif 000004
【図３】
2008087121.tif 000005
【図４】
2008087121.tif 000006